(57)【要約】      （修正有）【課題】柔らかくぼんやりとした光を表札の周辺に当てることにより、表札自体を影絵（シルエット）のように浮かび上がらせることができるアート表札を提供する。【解決手段】表面に名前またはデザインが施された表示用プレート２と、表示用プレート２の裏面に設けられ、表示用プレート２が取り付けられている方向と逆方向に発光するＬＥＤ３と、ＬＥＤ３に電力を供給する配線４と、ＬＥＤ３と所定の間隔を設けて、表示用プレート２を壁面に取り付けるプレート取付手段５とを、有し、表示用プレート２の周辺は、ＬＥＤ３から壁面方向に発光され、反射された光により装飾される。【選択図】図３
0003179584.tif 000002
【実用新案登録請求の範囲】
【請求項１】
ＬＥＤから発光された光により装飾されるアート表札であって、
表面に名前またはデザインが施された表示用プレートと、
該表示用プレートの裏面に設けられ、該表示用プレートが取り付けられている方向と逆方向に発光するＬＥＤと、
該ＬＥＤに電力を供給する配線と、
前記ＬＥＤと所定の間隔を設けて、前記表示用プレートを壁面に取り付けるプレート取付手段とを、有し、
前記表示用プレートの周辺は、前記ＬＥＤから壁面方向に発光され、反射された光により装飾されることを特徴とするアート表札。
【請求項２】
前記ＬＥＤにより発光される光は、有色光であることを特徴とする請求項１記載のアート表札。  
【請求項３】
壁面に設けられ、前記ＬＥＤにより発光する光を反射する反射板を設けたことを特徴とする請求項１または請求項２記載のアート表札。
【請求項４】
前記表示用プレートの表面は、動物の形状、または車両やヨットなどの乗物の形状を表していることを特徴とする請求項１〜請求項３のいずれか１項に記載のアート表札。
【考案の詳細な説明】
【技術分野】
【０００１】
本考案は、ＬＥＤ（発光ダイオード）から発光された光により装飾されるアート表札に関する。
【背景技術】
【０００２】
従来から、ＬＥＤ（発光ダイオード）を利用して発光させる機能の付いたＬＥＤ表札が知られている。このＬＥＤ表札１００は、べースプレート１２０を、表示用プレート１１０の裏面側に、表示用プレート１１０との間に隙間Ｔ（例えば、約２ｍｍ）をあけた状態で設けられている（図４参照）。ここで、図４は従来のＬＥＤ表札を示す側面図である。
【０００３】
ＬＥＤ１３０は、ベースプレート１２０の四方の立設壁１２１側に沿ってそれぞれ４個設けられ、主に立設壁１２１側に向かって発光するように配置されている（図５参照）。ここで、図５は図４のベースプレートを示す斜視図である。このＬＥＤ１３０は、側面方向に発光する量は、それに垂直な方向に発光する量よりも大きいものである（図６参照）。ここで、図６は図５に示すＬＥＤの発光を示す模式図である。これにより、ＬＥＤ１３０からの光の大部分は、ベースプレート１２０の立設壁１２１を伝わり表示用プレート１１０の裏面からエッヂ部１１１Ａと表示用プレート１１０の表面側に導かれ、一部分は、べースプレート１２０と表示用プレート１１０との間の隙間Ｔを介して表示用プレート１１０のエッヂ部１１１Ａにダイレクトにあるいはダイレクトに近い状態で当たるものであった。また、このＬＥＤ表札１００は、ＬＥＤ１３０の高さをベースプレート１２０の立設壁１２１よりも高くすることによってＬＥＤ１３０からの光をダイレクトに表示用プレート１１０のエッヂ部１１１Ａに当てるようにすることもできるものであった。
【０００４】
このように、従来のＬＥＤ表札１００では、べースプレート１２０と表示用プレート１１０との間に隙間Ｔ（例えば、約２ｍｍ）が設けられ、その隙間Ｔを介して表示用プレート１１０のエッヂ部１１１Ａにダイレクトにあるいはダイレクトに近い状態で当てることにより、ＬＥＤ１３０からの光が表示用プレート１１０のエッヂ部１１１Ａにより多く導かれ、表示用プレート１１０のエッヂ部１１１Ａを一層鮮明に輝かせることができるというものであった。
【先行技術文献】
【特許文献】
【０００５】
【特許文献１】特開２０１０−１０８６３１号公報
【考案の概要】
【考案が解決しようとする課題】
【０００６】
しかしながら、従来のＬＥＤ表札１００では、表示用プレート１１０のエッヂ部１１１Ａを一層鮮明に輝かせることを目的として、直進性の強いＬＥＤ１３０の光を、べースプレート１２０と表示用プレート１１０との間の隙間Ｔの方向にダイレクトに近い状態で当てるものであるので、光が拡散せず、ＬＥＤ表札１００の装飾としては十分なものではなかった。
【０００７】
本考案は、上記問題点に鑑みてなされたもので、柔らかくぼんやりとした光を表札の周辺に当てることにより、表札自体を影絵（シルエット）のように浮かび上がらせることができるアート表札を提供することを目的とする。
【課題を解決するための手段】
【０００８】
上記課題を解決し上記目的を達成するために、本考案のうち第１の態様に係るものは、  ＬＥＤから発光された光により装飾されるアート表札であって、表面に名前またはデザインが施された表示用プレートと、表示用プレートの裏面に設けられ、表示用プレートが取り付けられている方向と逆方向に発光するＬＥＤと、ＬＥＤに電力を供給する配線と、ＬＥＤと所定の間隔を設けて、表示用プレートを壁面に取り付けるプレート取付手段とを、有し、表示用プレートの周辺は、ＬＥＤから壁面方向に発光され、反射された光により装飾されることを特徴とするものである。
【０００９】
本考案によれば、表示用プレートの裏面にＬＥＤが設けられ、そのＬＥＤから壁面方向に直進性の強い光が発光され、その光が壁面に衝突して反射されることにより光の波長が伸び、柔らかくほんやりとした光となった光により表示用プレートが照らされることとなる。これにより、表示プレートが影絵（シルエット）のように浮かびあがった状態になり、夜に帰宅した人に幻想的でロマンチックな気分を与えることができるとともに、帰宅した人の疲れを取り、幸せな気分や癒し感を与えることができる。
【００１０】
本考案のうち第２の態様に係るものは、第１の態様に係るアート表札であって、ＬＥＤにより発光される光は、有色光であることを特徴とするものである。
【００１１】
本考案によれば、ＬＥＤにより発光される光が有色光であるので、表示プレートが影絵（シルエット）のように浮かびあがった状態がより美しくなり、表示プレートの装飾的効果がアップさせることができる。
【００１２】
本考案のうち第３の態様に係るものは、第１または第２の態様に係るアート表札であって、壁面に設けられ、ＬＥＤにより発光する光を反射する反射板を設けたことを特徴とするものである。
【００１３】
本考案によれば、壁面に設けられた反射板によりＬＥＤから発光された光が反射されるので、反射板によって反射した光により表示用プレートの周辺をより広く装飾させることができる。
【００１４】
本考案のうち第４の態様に係るものは、第１〜第３のいずれかの態様に係るアート表札であって、表示用プレートの表面は、動物の形状、または車両やヨットなどの乗物の形状を表していることを特徴とするものである。
【００１５】
一般的な表札は、縦長もしくは横長の四角枠のものが主流になっているが、本考案によれば、表示用プレートの表面を動物の形状や車両やヨットなどの乗物の形状としているので、自分の趣味や好きなもの家族の気に入った表札にすることができ、家の雰囲気も変わり、楽しく幸せな雰囲気にすることができる。
【考案の効果】
【００１６】
本考案のアート表札によれば、ＬＥＤから壁面方向に発光され、反射された柔らかくぼんやりとした光により表示用プレートの周辺が照らされることにより、表札自体を影絵（シルエット）のように浮かび上がらせることができ、大きな装飾的効果を発揮することができる。
【図面の簡単な説明】
【００１７】
【図１】本考案の一実施形態におけるアート表札が壁面に取り付けられた状態を示す図である。
【図２】同アート表札の正面図である。
【図３】図２のＡ−Ａ断面を含む図である。
【図４】従来のＬＥＤ表札を示す側面図である。
【図５】図４のベースプレートを示す斜視図である。
【図６】図５に示すＬＥＤの発光を示す模式図である。
【考案を実施するための形態】
【００１８】
以下、本考案にかかるアート表札について図面を参照にしながら説明する。ここで、図１は本考案の一実施形態におけるアート表札が壁面に取り付けられた状態を示す図であり、図２は同アート表札の正面図であり、図３は図２のＡ−Ａ断面を含む図である。
【００１９】
アート表札１は、ＬＥＤ３から発光された光により装飾される表札であって、表示用プレート２と、ＬＥＤ３と、配線４と、プレート取付手段５と、反射板６などを有している。なお、本実施形態では、反射板６を設けたが、反射板６は必須のものではなく、特に設けなくてもよい。
【００２０】
表示用プレート２は、ステンレス製で平面形状をしており、表面に名前またはデザインが施されている。この表面の名前やデザインは、例えば、表示用プレート２の表面にシート文字やシートデザインを接着させたり、彫り込むことにより施されている。このように、表示用プレート２の表面に名前またはデザインが施されているので、これにより表札的機能を発揮し、このアート表札１を見ることによりその家の所有者を特定することができる。なお、本実施形態では、表示用プレート２の材質をステンレスとしたが、これに限らず、樹脂により形成させてもよい。
【００２１】
表示用プレート２の表面形状は、ふくろうの形状をしており、目玉部分および鼻部分は貫通口として形成されている。なお、本実施形態では、表示用プレート２をふくろうの形状としたが、これに限らず、他の動物の形状や、車両やヨットなどの乗物の形状としてもよい。このように、表示用プレート２の形状を動物の形状や車両やヨットなどの乗物の形状とすることにより、自分の趣味や好きなもの家族の気に入った表札にすることができる。これにより、家の雰囲気も変わり、楽しく幸せな雰囲気にすることができる。
【００２２】
ＬＥＤ３（発光ダイオード）は、表示用プレート２の裏面に設けられ、表示用プレート２が取り付けられている方向と逆方向（反対方向）を発光するものである。すなわち、ＬＥＤ３は、アート表札１を壁面に取り付けた状態で、壁面の方向に発光するように表示プレート２に取り付けられている。このＬＥＤ３からは有色光が発光される。なお、本実施形態では、ＬＥＤ３から有色光が発光されるとしたが、これに限定されず、ＬＥＤ３から無色光が発光されるようにしてもよい。
【００２３】
太陽電池８は、蓄電池７を充電するために設けられたものであり、太陽光を受光して光電変換し、その電気エネルギ−が蓄電池７に充電される。そして、蓄電池７から配線４を介しＬＥＤ３に電力が供給される。蓄電池７には、日没センサ（図示略）が接続されており、その日没センサ（図示略）が日没状態を検知したときに、蓄電池７からＬＥＤ３に所要の電圧が供給され、ＬＥＤ３が発光するようになっている。すなわち、ＬＥＤ３の点灯は、周りが暗くなると自動点灯し、明るくなると消灯するようになっている。
【００２４】
プレート取付手段５は、ＬＥＤ３と所定の間隔を設けて、表示用プレート２を壁面に取り付ける取付部材である。プレート取付手段５は、先端部の径が小さい棒状形状であり、その径が小さいプレート取付手段５の先端部を家や門柱の壁面に埋め込むことにより、表示用プレート２が壁面に取り付けられる。なお、本実施形態では、プレート取付手段５を左右対称に４本設けることにより表示用プレート２が壁面に取り付けられ、また、図３では壁面内のプレート取付手段５を断面で表している。このように、プレート取付手段５の径が小さい先端部が家や門柱の壁面に埋め込まれるようにしているので、表示用プレート２が壁面に取り付けられた状態では、表示用プレート２に取り付けられたＬＥＤ３と壁面の間に、所定の間隔が設けられている。この所定の間隔は、壁面に衝突して反射された光により表示用プレート２の周辺をどの程度広範囲に照らすかにより調整することができる。すなわち、表示用プレート２の周辺を広範囲に照らそうとするときは、表示用プレート２の周辺を照らす光の強さを考慮しながら、表示用プレート２に取り付けられたＬＥＤ３と壁面の間の間隔を広めに取るようにすればよい。なお、本実施形態では、プレート取付手段５は、表示用プレート２と一体的に形成されているが、これに限らず、プレート取付手段５を表示用プレート２と取外可能に設けるようにしてもよい。また、本実施形態では、プレート取付手段５の先端部を家や門柱の壁面に埋め込むようにしたが、これに限らず、プレート取付手段５の先端部に雄ねじを設け、その先端部の雄ねじを門柱の壁面に螺合させて、表示用プレート２を壁面に取り付けてもよい。
【００２５】
反射板６は、家や門柱の壁面に設けられ、光を反射する部材から形成されている。このように、家や門柱の壁面に設けられた反射板６を設けることにより、ＬＥＤ３から発光された光が反射板６により反射される。
【００２６】
このように、表示用プレート２の裏面にＬＥＤ３が設けられ、そのＬＥＤ３から家や門柱の壁面方向に発光された光が壁面または反射板６により反射されるので、直進性の強いＬＥＤ３の光が壁面または反射板３に衝突することにより光の波長が伸び、柔らかくほんやりとした光となる。そして、その柔らかくほんやりとした光により表示用プレート２が照らされることにより、表示プレート２が影絵（シルエット）のように浮かびあがった状態になり、夜に帰宅した人に幻想的でロマンチックな気分を与えることができるとともに、帰宅した人の疲れを取り、幸せな気分や癒し感を与えることができる。特に、本実施形態では、有色光のＬＥＤ３を用いているので、表示プレート２が影絵（シルエット）のように浮かびあがった状態がより美しくなり、表示プレート２の装飾的効果がアップさせることができる。
【００２７】
なお、今回開示された実施の形態はすべての点で例示であって制限的なものではないと考えられるべきである。さらに本考案の範囲は、上記した説明ではなく特許請求の範囲の記載によって示され、特許請求の範囲と均等の意味及び範囲内でのすべての変更が含まれることが意図される。
【符号の説明】
【００２８】
１  アート表札
２  表示用プレート
３  ＬＥＤ
４  配線
５  プレート取付手段
６  反射板
７  蓄電池
８  太陽電池
【図１】
0003179584.tif 000003
【図２】
0003179584.tif 000004
【図３】
0003179584.tif 000005
【図４】
0003179584.tif 000006
【図５】
0003179584.tif 000007
【図６】
0003179584.tif 000008